(57)【要約】【課題】本発明はロッカー等に使用される錠前に関し、従来の錠前において解錠番号を忘れた場合や非常時に扉を開ける場合に、安全性や機能を向上させながら且つ簡易に非常解錠できるようにすることが困難であることが課題であって、それを本発明により解決することである。【解決手段】錠箱にダイヤル錠と該ダイヤル錠３によって所定の番号以外では解錠が阻止される開閉用鎌４と、該鎌を回転軸に固定し前記錠箱の表側から回動操作する操作摘み６とを備える錠前において、前記開閉用鎌４は、錠箱から鉤状の先端部が突出して筐体側の係合部に係止してこの錠箱が取り付けられた扉の開成を阻止するリンクカム１０と、前記ダイヤル錠から施錠時に突出するロック片に係合して解錠方向への回転が阻止されるとともに、解錠時には前記ロック片の突出を阻止してダイヤル錠のダイヤル部の操作を制限するロックカム９とに分割して構成されている錠前１とするものである。【選択図】図１
2011012485.tif 000002
【特許請求の範囲】
【請求項１】
錠箱にダイヤル錠と該ダイヤル錠によって所定の番号以外では解錠が阻止される開閉用鎌と、該開閉用鎌を操作部に固定し前記錠箱の表側から前記操作部を回動操作する操作摘みとを備える錠前において、
前記開閉用鎌は、錠箱から鉤状の先端部が突出して筐体側の係合部に係止してこの錠箱が取り付けられた扉の開成を阻止するリンクカムと、前記ダイヤル錠から施錠時に突出するロック片に係合して解錠方向への回転が阻止されるとともに、解錠時には前記ロック片の突出を阻止してダイヤル錠のダイヤル部の操作を制限するロックカムとに分割して構成されていること、
を特徴とする錠前。
【請求項２】
操作部は、操作摘み及びそれに一体に連結され所要範囲で回転自在に錠箱に支持される回転ドラムと、その内側に回転自在に支持される内筒とでなるシリンダー錠とが設けられて二重回転構造になっており、
表側の操作摘みと共に回転する前記回転ドラムの回転軸に沿った長手方向の内側端部にはロックカムの基部が固定され、
前記シリンダー錠における内筒の回転軸に沿った長手方向の内側端部の鎌係合部にはリンクカムの基部が固定されていること、
を特徴とする請求項１に記載の錠前。
【発明の詳細な説明】
【技術分野】
【０００１】
本発明は、例えば、ロッカーや保管庫等に使用されるダイヤル式のロッカー用錠前であって、２種類のロック機構を備えて非常解錠手段を装備した錠前に関するものである。
【背景技術】
【０００２】
従来、ロッカー用ダイヤル錠２０として、特許文献１に記載のものが知られている。これは、図８に示すように、錠箱２１の正面にダイヤル部２２ａを露出させて収納し、各ダイヤルの解錠番号を変更できるダイヤル錠２２と、錠箱正面に回動可能に配設された操作摘み２３と、該操作摘み２３の回動軸に固定され、ロッカー扉の開成を阻止する鎌２４と、該鎌２４から延設されて前記ダイヤル錠２２の番号変更レバー２５を押圧する押圧突起２４ａと、前記ダイヤル錠２２の施錠時に突出するロック片２２ｂと係合し、操作摘み２３の回動を阻止して前記鎌２４の突出状態を保持する第１の腕２６と、前記鎌２４の復帰の時に前記ロック片２２ｂの突出を制限する第２の腕２７とを備えたものである。
【０００３】
このような構成により、汎用のダイヤル錠を、ロッカー用や保管庫用に使用することができるものである。
【先行技術文献】
【特許文献】
【０００４】
【特許文献１】特開平１０−１８４１３６号公報
【発明の概要】
【発明が解決しようとする課題】
【０００５】
しかし、従来の錠前では、扉を開けた解錠状態で解錠番号の変更などができるものの、扉を閉じて施錠した後に解錠番号を忘れてしまった場合には、扉を開閉できなくなり、無理に扉をこじ開けて、新しい錠前に交換することとなり、手間が掛かってコストも嵩むことになる。また、非常用の開閉手段として、ダイヤル錠をリセットする手段を備えるものもあるが、ダイヤル錠の構造が複雑となりコストが嵩む。本発明に係る錠前は、このような課題を解決するために提案されたものである。
【課題を解決するための手段】
【０００６】
本発明に係る錠前の上記課題を解決して目的を達成するための要旨は、錠箱にダイヤル錠と該ダイヤル錠によって所定の番号以外では解錠が阻止される開閉用鎌と、該開閉用鎌を操作部に固定し前記錠箱の表側から前記操作部を回動操作する操作摘みとを備える錠前において、前記開閉用鎌は、錠箱から鉤状の先端部が突出して筐体側の係合部に係止してこの錠箱が取り付けられた扉の開成を阻止するリンクカムと、前記ダイヤル錠から施錠時に突出するロック片に係合して解錠方向への回転が阻止されるとともに、解錠時には前記ロック片の突出を阻止してダイヤル錠のダイヤル部の操作を制限するロックカムとに分割して構成されていることである。
【０００７】
前記操作部は、操作摘み及びそれに一体に連結され所要範囲で回転自在に錠箱に支持される回転ドラムと、その内側に回転自在に支持される内筒とでなるシリンダー錠とが設けられて二重回転構造になっており、表側の操作摘みと共に回転する前記回転ドラムの回転軸に沿った長手方向の内側端部にはロックカムの基部が固定され、前記シリンダー錠における内筒の回転軸に沿った長手方向の内側端部の鎌係合部にはリンクカムの基部が固定されていることを含むものである。
【発明の効果】
【０００８】
本発明の錠前によれば、操作摘みによるリンクカム（及び同時に回転するロックカム）の解錠操作と、ロッカー管理者が非常時に扉を開けることが必要になったときや解錠番号を忘れたときにシリンダー錠によるリンクカムの単独の解錠操作とが可能となって、非常時や解錠番号忘れにも対応できて錠前の機能が向上し、ダイヤル錠によるロックとシリンダー錠によるロックとのダブルロックにより安全性が増進するものとなる。
【図面の簡単な説明】
【０００９】
【図１】本発明に係る解錠状態にした錠前１の正面図（Ａ）、同じく裏カバーを外した状態の背面図（Ｂ）である。
【図２】同本発明に係る施錠状態の錠前１の正面図（Ａ）、同じく裏カバーを外した状態の背面図（Ｂ）である。
【図３】錠前１における、操作摘み６とシリンダー錠７の正面図（Ａ）、錠箱に固定されるクリックカバー８の斜視図（Ｂ）、ロックカム９の斜視図（Ｃ）、リンクカム１０の斜視図（Ｄ）、平座の斜視図（Ｅ）、ナベネジ１２の斜視図（Ｆ）、鍵１３の平面図（Ｇ）である。
【図４】シリンダー錠７の斜視図（Ａ）、外筒７ｂの前方から見た斜視図（Ｂ）、後方から見た斜視図（Ｃ）、操作摘み６の斜視図（Ｄ）である。
【図５】シリンダー錠７に開閉用鎌４を組み立てた状態の正面図（Ａ）、同一部後部の平面図（Ｂ）、同縦断面図（Ｃ）である。
【図６】錠前１に鍵１３を使用して非常時に解錠する様子を示す説明用斜視図である。
【図７】同錠前１の非常時の解錠した状態の表側の斜視図（Ａ）と、裏側のカバーを外して内部が見える様にして示す斜視図（Ｂ）とである。
【図８】従来例に係る錠前２０の施錠状態における正面図（Ａ）、裏側から内部を見た背面図（Ｂ）である。
【発明を実施するための形態】
【００１０】
本発明に係る錠前は、図１に示すように、開閉用の鎌を操作摘みの回転軸に固定して取り付ける構成を、この回転軸を中心にして筐体側に係合するリンクカムと、ダイヤル錠側に係合するロックカムとに分割して、機能向上を図るものである。
【実施例１】
【００１１】
図１に示すように、錠前１は、錠箱２にダイヤル錠３と該ダイヤル錠３によって所定の番号以外ではロック片３ａの突出によって解錠が阻止される開閉用鎌４と、該鎌４を回転軸心５を中心にして位置固定し、前記錠箱２の表側から時計方向・反時計方向に回動操作する操作摘み６とを備える。
【００１２】
前記操作摘み６と同軸にして、図１（Ａ）、図２（Ａ）に示すように、シリンダー錠７が設けられている。このシリンダー錠７は、解錠番号を忘れてダイヤル錠３を解錠できない時や扉を開ける必要があるときの非常解錠用である。当該シリンダー錠７は、図４（Ａ），（Ｂ），（Ｃ）に示すように、内筒７ａとこれを回転自在に内包する回転ドラムである外筒７ｂ（以下、同じ）とでなり、図３（Ａ）に示すように、先端側に操作摘み６が、前記外筒７ｂの前部に刻設された凹溝に沿って圧入されるものである。図４（Ｄ）に操作摘み６の形状を示す。
【００１３】
前記内筒７ａは、その先端部７ｅには、鍵を差し込むキー溝７ｆが穿設されている。また、内筒７ａの、長手方向の中央部には複数個のタンブラーピン７ｇが半径方向に突出しており、後端部には鎌係合部７ｈが設けられている。
【００１４】
前記外筒７ｂは、図４（Ｂ），（Ｃ）に示すように、金属製の円筒状筒体であり、その周壁には２箇所に対向させてスリット７ｃが設けられ、後端部には六角形状の係合部７ｄが設けられている。その後部が、同図３（Ｂ）に示すクリックカバー８の貫通孔８ａに挿通され、所定の範囲（例えば、５０°）で軸心廻りに回転自在にして装着される。このクリックカバー８の上後部にある突起部８ｂが、開閉用鎌４の回転軸心５廻りの回転を規制する突起である。
【００１５】
前記外筒７ｂの後端部の係合部７ｄに取着されるのが、図３（Ｃ）に示す金属製板状のロックカム９である。図示の様に、前記ロックカム９には、基部の中央部に六角形状の係合孔部９ａが貫通して設けられ、側方に伸びた腕部の先端部が直角に屈曲されて、ロック規制部９ｂが設けられている。
【００１６】
また、前記内筒７ａの鎌係合部７ｈには、図３（Ｄ）に示す、筐体側の係止部に係止され施錠するリンクカム１０が取付固定される。このリンクカム１０は、図示のように、金属製の板状体であり、その基部の中央部に前記鎌係合部７ｈに嵌合させるべく、長孔１０ａが貫通して設けられ、側方から腕部が屈曲されて延設され、その先端部が鉤状に形成され係止部１０ｂが設けられ、途中には、ダイヤル錠３の解錠番号変更用のシフトレバーを押圧して番号変更可能状態に移動させる突起片１０ｃが設けられている。
【００１７】
前記ロックカム９と前記リンクカム１０との、回転軸心５を中心として２分割されたカムで、前記開閉用鎌４が構成されるものである。図３（Ｅ），（Ｆ）に、前記開閉鎌４を前記シリンダー錠７に取付固定するための平座１１と、ナベネジ１２とを示す。符号１３は、前記シリンダー錠７を解錠する鍵を示している、符号１４は、仮ロックするラッチ部を示している。
【００１８】
これらの組立には、錠箱２にクリックカバー８が固定されており、それに、操作摘み６を取り付けられたシリンダー錠７を挿着して、後方からロックカム９を外筒７ｂの係合部７ｄに嵌合させ、更に、リンクカム１０を鎌係合部７ｈに嵌合させ、平座１１とともにナベネジ１２を鎌係合部７ｈのネジ孔に螺着させて、組み立てる。
【００１９】
前記シリンダー錠７をクリックカバー８に装着して開閉用４をナベネジ１２で取り付けた状態が、図５（Ａ），（Ｂ），（Ｃ）に示す状態である。図５（Ａ）は、シリンダー錠７を正面から見た状態で、解錠状態の配置に開閉用鎌４がなっている。このようにして、錠箱２から鉤状の先端部が係止部１０ｂとして突出し、筐体１５側の係合部（図示せず）に係止する。
【００２０】
前記開閉用鎌４は、前記錠箱２が取り付けられた扉の開成を阻止するリンクカム１０と、前記ダイヤル錠３から施錠時に外側へ突出するロック片３ａに係合して、解錠方向への回転が阻止されるとともに、解錠状態では前記ロック片３ａの突出を阻止してダイヤル錠３のダイヤル部の操作を制限するロックカム９とに、２分割して構成されているのである。
【００２１】
操作部は、回転自在な操作摘み６及びそれに連結する回転ドラムである外筒７ｂとその内側の中心部にシリンダー錠７の内筒７ａとが設けられて二重回転構造になっている。
【００２２】
このようにして構成される本発明の錠前１によれば、図１（Ａ），（Ｂ）に示すように、通常の開閉操作において、ダイヤル錠３のダイヤルが解錠番号に設定されていると、操作摘み６を正面から見て時計方向に回転させることができて、該操作摘み６とともに外筒７ｂ及び内筒７ａが同方向に回転し、これらの後部に取り付けられているリンクカム１０及びロックカム９が、同時計方向に回転する。よって、筐体１５側の係止部から係止部１０ｂが係止解除され、ロックカム９のロック規制部９ｂがダイヤル錠３のロック片３ａの後方への突出を規制する。
【００２３】
次ぎに、図１の解錠状態から図２（Ａ），（Ｂ）に示す施錠状態にする。操作摘み６を正面から見て半時計方向に約５０°程度回転させる。前記リンクカム１０が同方向に回転して、その係止部１０ｂが筐体１５側の係止部に係合して、扉が開かないようになる。
【００２４】
また、図２（Ｂ）に示すように、ロックカム９も反時計方向に回転して、クリックカバー８の突起部８ｂによりこれに当接して回転停止する。この状態で、ダイヤル錠３のダイヤルを、解錠番号からデタラメな番号に設定すると、ダイヤル錠３のダイヤルが回転してその一部の突起形状が弾性部材の付勢力に抗してロック片３ａを後方に突出させる。
【００２５】
前記ロック片３ａが、前記ロックカム９の解錠方向への回転を阻止する様にロック規制部９ｂに衝突する位置に存在する。こうして、錠前１が施錠され、前記ダイヤル錠３の番号も、解錠番号以外の番号になる。
【００２６】
次に、図６に示すように、施錠した状態で、例えば、解錠番号を忘れてしまった場合について説明する。操作摘み６を回転させることは不可能になっているので、鍵１３をシリンダー錠７のキー溝７ｆに差し込む。すると、図５（Ｃ）に示すタンブラーピン７ｇが半径方向で整列され、外筒７ｂのスリット７ｃにおいて周方向の係合が解除される。よって、外筒７ｂに対して内筒７ａが回転可能になる。
【００２７】
そこで、図７（Ａ），（Ｂ）に示すように、前記鍵１３を時計方向に回転させる。すると、内筒７ａが回転するので、これに固定されているリンクカム１０が解除方向（裏側から見ると反時計方向）に回転して、筐体１５側の係止部から係止解除される。
【００２８】
こうして、図７（Ｂ）に示す状態で、扉を開成することができる。その後、ダイヤル錠３において、裏面側のシフトレバー１６を横に移動させてダイヤル番号を変更し、解錠番号にしてシフトレバー１６を戻す。ロック片３ａが弾性体による付勢力で内部に引っ込んで没し、ロックカム９を操作摘み６で通常の解錠状態の位置に戻す。前記鍵１３をシリンダー錠７から引き抜く。これにより、再び、図１（Ａ），（Ｂ）に示す状態に戻る。
【産業上の利用可能性】
【００２９】
本発明に係る錠前１の構成は、機械式の錠前に限らず、電気錠においても、機械式との組み合わせで構成することができる。
【符号の説明】
【００３０】
１          錠前、
２          錠箱、
３          ダイヤル錠、                    ３ａ      ロック片、
４          開閉用鎌、
５          回転軸心、
６          操作摘み、
７          シリンダー錠、                  ７ａ      内筒、
７ｂ        外筒、                          ７ｃ      スリット、
７ｄ        係合部、                        ７ｅ      先端部、
７ｆ        キー溝、                        ７ｇ      タンブラーピン、
７ｈ        鎌係合部、
８          クリックカバー、                ８ａ      貫通孔、
８ｂ        突起部、
９          ロックカム、                    ９ａ        係合孔部、
９ｂ        ロック規制部、
１０        リンクカム、                    １０ａ      長孔、
１０ｂ      係止部、                        １０ｃ      突起片、
１１        平座、                          １２        ナベネジ、
１３        鍵、
１４        ラッチ部、
１５        筐体、                        
１６        シフトレバー、
２０        ロッカー用ダイヤル錠、
２１        錠箱、
２２        ダイヤル錠、                    ２２ａ      ダイヤル部、
２２ｂ      ロック片、
２３        操作摘み、
２４        鎌、                            ２４ａ      押圧突起、
２５        番号変更レバー、
２６        第１の腕、
２７        第２の腕。
【図１】
2011012485.tif 000003
【図２】
2011012485.tif 000004
【図３】
2011012485.tif 000005
【図４】
2011012485.tif 000006
【図５】
2011012485.tif 000007
【図６】
2011012485.tif 000008
【図７】
2011012485.tif 000009
【図８】
2011012485.tif 000010